(57)【要約】【課題】値下げ商品についてレジにおける値引き忘れを防止し、値下げ価格情報を含んだバーコードのスキャンが容易であり、不正が行われる可能性を低くできる値引き方法および値下げバーコードラベルの提供。【解決手段】目隠し部１８で値下げ前価格バーコード２３の一部を読み取り不能に覆い、天地方向に大きなバーコードに対しては、切り取り線１９の箇所でバーコード修正部１６を視認情報表示部１７から切り取り、９０度向きを変えて値下げ前価格バーコードの少なくとも１本のバーを完全に覆い隠すように貼る。値引き商品から剥がそうとすると、パンチ抜型２０の内側の円形の紙片２４がラベル片１３から分離して商品Ｍ上に残り、ラベルの不正貼替えを予防する。【選択図】        図５
2008242337.tif 000002
【特許請求の範囲】
【請求項１】
値下げ商品に付された元売価バーコードをバーコード読み取り装置を備えたラベル発行装置で読み取り、この元データを加工編集して印字発行される値下げバーコードラベルを、その対象商品における元価格情報を含んだバーコードに掛かるように貼り付け、値下げ前価格をバーコード読み取り不能とする値引き方法において、前記値下げバーコードラベルは、台紙上に粘着剤層を介して仮着されたラベル片が、少なくとも値下げ価格情報を含んだバーコードが記録されるバーコード修正部および見切後価格や見切幅などの値下げ価格に関する視認情報がヒューマン文字で表示される視認情報表示部とが連接して構成され、前記バーコード修正部の少なくともいずれか一辺から、正立状態で元価格バーコードのバーの一本以上を確実に覆い隠せる幅と長さを備えた目隠し部を突出させ、前記バーコード修正部は切り取り線を介して視認情報表示部から切り離し可能にすると共に、前記バーコード修正部または視認情報表示部の少なくとも一方の角隅部内側に、ラベル片を貫通し台紙は貫通しないようにパンチ抜型を形成したことを特徴とする値引き方法。
【請求項２】
前記値下げバーコードラベルは、正立状態のとき目隠し部で元価格バーコードのバーの一本以上を確実に覆い隠すことができる場合には、切り取り線から切り取らずに目隠し部を元価格のバーコードに掛かるように貼り付け、前記目隠し部で元価格バーコードのバーの一本以上を確実に覆い隠すことができない場合には、バーコード修正部を切り離して、元価格のバーコードの少なくとも１本を完全に覆い隠すように、向きを変えて貼り付けることを特徴とする請求項１に記載の値引き方法。
【請求項３】
前記請求項１または請求項２の値引き方法に用いる値下げバーコードラベル。
【発明の詳細な説明】
【技術分野】
【０００１】
本発明は、小売り流通業界で、客寄せのために行われる商品の値引き（通称「マークダウン」、「見切」などとも呼ばれる）方法およびその方法の実施に用いる値下げバーコードラベルに関するものである。
【背景技術】
【０００２】
マークダウンをアナウンスしたにも拘わらずマークダウンが実施されずに信用を落とすことを防止する手段の一つとして、マークダウンの表示の外、商品の実質的に値下げ前の価格情報を含んだバーコードが、誤ってレジで読み込まれないようにするために、そのバーコードの少なくとも一部を目隠しして、そのバーコードを読み込もうとした時には、エラーを発して、値下げ価格バーコードを読み取らなければならないことを気付かせることが行われている。
【０００３】
特許文献１には、少なくとも値下げ価格情報を含んだバーコードが印字された値下げバーコードラベルを、ラベル本体から突出するように一体形成された目隠し部によって、目隠し部がその対象商品における値下げ前の価格情報を含んだバーコードに掛かるように貼り付け、値下げ前価格バーコードを読み取り不能とする値下げバーコードラベルおよびその貼付方法が記載されている（図７参照）。
【０００４】
ここで、図中６は、値下げバーコードラベルの角隅部に形成された、貼替防止用の切れ込み（タンパープルーフカット）である。即ち、一度使用されたラベルを剥がして他の商品に貼り、不正な値下げ操作がおこなわれないように、商品に貼られたラベルを剥がそうとすると、この切れ込みからラベルが破れて、不正に再使用されるのを防止できるようになっている。
【特許文献１】特開２００６−２１５２３６号公報
【発明の開示】
【発明が解決しようとする課題】
【０００５】
ところで、上記の従来技術では、値下げバーコードラベルの角隅部に放射状の切れ込み６を設けているため、ラベルを台紙から剥がしたり、元価格バーコードの上に貼る際にラベル片の角隅部を持つと、切れ込み６が破れてしまったり、切れ込み６の部分で紙端がバラバラになって外観が不自然になってしまうという問題がある。
【０００６】
また、一次元バーコードは幅方向の連続に情報を持たせたもので、天地（高さ）方向の連続には情報がないため、元価格のバーコードが極端に天地方向に長い場合や、元価格バーコードの隣に値下げバーコードラベルを貼り付けるのに十分なスペースがない場合には、従来の値下げバーコードラベルを用いることができなかった。
【０００７】
本発明は上記従来技術の問題に鑑みなされたものであって、値下げの表示をするための商品への貼付が容易で、不正が行われる可能性を低くでき、特にラベルを台紙から剥離したり、ラベルを商品に貼り付ける際に、ラベルを破損する危険性を低くできる技術を提供することを目的とする。
【課題を解決するための手段】
【０００８】
上記課題を解決するため、本発明が採用する構成の特徴は、値下げ商品に付された元売価バーコードをバーコード読み取り装置を備えたラベル発行装置で読み取り、この元データを加工編集して印字発行される値下げバーコードラベルを、その対象商品における元価格情報を含んだバーコードに掛かるように貼り付け、値下げ前価格をバーコード読み取り不能とする値引き方法において、前記値下げバーコードラベルは、台紙上に粘着剤層を介して仮着されたラベル片が、少なくとも値下げ価格情報を含んだバーコードが記録されるバーコード修正部および見切後価格や見切幅などの値下げ価格に関する視認情報がヒューマン文字で表示される視認情報表示部とが連接して構成され、前記バーコード修正部の少なくともいずれか一辺から、正立状態で元価格バーコードのバーの一本以上を確実に覆い隠せる幅と長さを備えた目隠し部を突出させ、前記バーコード修正部は切り取り線を介して視認情報表示部から切り離し可能にすると共に、前記バーコード修正部または視認情報表示部の少なくとも一方の角隅部内側に、ラベル片を貫通し台紙は貫通しないパンチ抜型を形成したことにある。
【０００９】
ここで、上記値下げバーコードラベルは、正立状態のときに目隠し部で元価格バーコードのバーの一本以上を確実に覆い隠すことができる場合には切り取り線から切り取らずに、目隠し部を元価格のバーコードに掛かるように貼り付け、前記目隠し部で元価格バーコードのバーの一本以上を確実に覆い隠すことができない場合には、バーコード修正部を切り離して元価格のバーコードの少なくとも１本を完全に覆い隠すように、向きを変えて貼り付けるのが好ましい。
【発明の効果】
【００１０】
ラベル片角隅部のパンチ抜型の内側の紙片は、粘着剤層に支えられ、ラベルを台紙から剥がしたり商品に貼り付ける際にラベル片と行動を共にするので、角隅部の外側からラベル片をめくってもラベル片から分離しないが、ラベル片を商品から剥がそうとすると、粘着剤層による繋がりが切れて内側の紙片がラベルから分離して商品上に残るので、ラベルの不正貼替えを効果的に予防できる。
【００１１】
また、上記切り取り線は、バーコード修正部と視認情報表示部が連接して値引対象賞品に張られた場合には、従来のタンパープルーフカットと同様に作用する。
【００１２】
そして、元価格のバーコードが極端に天地方向に長い場合や、元価格バーコードの隣に値下げバーコードラベルを貼り付けるのに十分なスペースがない場合には、切り取り線でバーコード修正部を切り離して元価格のバーコードの少なくとも１本を完全に覆い隠すように、向きを変えて貼り付け、視認情報表示部は正立状態で商品の目立つ位置に貼り付けることができる。
【発明を実施するための最良の形態】
【００１３】
以下、図１ないし図６を用いて本発明の実施の形態を詳述する。
図１は値下げバーコードラベルの連続体の正面図、図２は同裏面図、図３は図１中のラベルの一単位を取り出した、（ａ）拡大正面図、および、（ｂ）図（ａ）中の矢示ｂ−ｂ方向断面図、図４は値下げバーコードラベルを商品に貼り付けた状態を示す斜視図、図５はタンパープルーフカットの作用説明図、図６は元価格バーコードが目隠し部よりも極端に天地方向に長い場合の値引き方法を示す説明図である。
【００１４】
図１において、印字する前の値下げバーコードラベル１１は、帯状に連続し表面が剥離剤処理された台紙１２上にラベル片１３が粘着剤層１４（図３（b）参照）を介して等間隔に仮着され、台紙１２の裏面には、図２に示すように、ラベルプリンターで使用する位置検出用のマーク１５が、各ラベル片１３の縁に相当する位置に印刷されている。
【００１５】
各ラベル片１３は、少なくとも値下げ価格情報を含んだバーコードが記録されるバーコード修正部１６と、見切後価格や見切幅などの値下げ価格に関する視認情報がヒューマン文字で表示される視認情報表示部１７とが連接して構成され、前記バーコード修正部１６の右端の一辺が、正立状態で元価格バーコードのバーの一本以上を確実に覆い隠せる幅と長さを備えた目隠し部１８として突出している。
【００１６】
また、前記バーコード修正部１６は切り取り線１９を介して視認情報表示部１７から切り離し可能になっており、前記バーコード修正部１６の下端両側および視認情報表示部１７の上端両側には、角隅部内側に、ラベル片１３を貫通し台紙１２は貫通しないように、パンチ抜型２０を形成している。
【００１７】
そして、ラベル片１３には、値引き対象商品Ｍの値下げ価格情報を含んだバーコード２１と、値下げ価格情報を含んだヒューマン文字２２とが、バーコードスキャナを備えたラベルプリンタによって印字される（図４参照）。
【００１８】
上記ラベル片１３は、前記目隠し部１８が値引き対象商品Ｍにおける値下げ前の価格情報を含んだバーコード２３に掛かるように貼り付けられ、値下げ前価格バーコード２３を機械読み取り不能にする。また、バーコード修正部１６に印字された値下げ価格のバーコードは何も阻害するものがないので、精算レジのスキャナで読み取られ、確実にマークダウン処理がなされる。
【００１９】
ここで、前記パンチ抜型２０の内側の円形の紙片２４は、粘着剤層１４に支えられ、ラベル片１３を台紙２から剥がしたり商品Ｍに貼り付ける際にラベル片１３と行動を共にするので、角隅部の外側からラベル片１３をめくってもラベル片１３からは分離しない。
一方、ラベル片１３を商品Ｍから剥がそうとするときには、粘着剤層１４による繋がりが切れて内側の紙片２４がラベル片１３から分離して商品Ｍ上に残るので、ラベルの不正貼替えを効果的に予防できる。
また、このとき、切り取り線１９は、従来のタンパープルーフカットと同様に作用する。
【００２０】
一方、図６に示すように、牛乳パックのような天地方向に大きなバーコード２５が使用される商品Ｍ２に対しては、ラベル片１３が正立状態の目隠し部１８では完全にバーコード２５の１本を完全に覆い隠すことができない。
そこで、切り取り線１９の箇所でバーコード修正部１６を視認情報表示部１７から切り取って、９０度向きを変えて値下げ前価格バーコード２５の少なくとも１本のバーを完全に覆い隠すように貼り、視認情報表示部１７は商品Ｍ２の上側斜面の目立つ位置に貼る。
【００２１】
なお、本発明が上記実施の形態に限定されず、本発明の技術思想の範囲内において、実施の形態は適宜変更され得ることは明らかである。また、上記構成要素の材質、数、位置、形状等は上記実施の形態に限定されず、本発明を実施する上で好適な材質、数、位置、形状等にすることができる。
【図面の簡単な説明】
【００２２】
【図１】発明の実施の形態に係る値下げバーコードラベル連続体の正面図
【図２】同、裏面図
【図３】図１中のラベルの一単位を取り出した、（ａ）拡大正面図、（ｂ）図（ａ）中の矢示ｂ−ｂ方向断面図
【図４】値下げバーコードラベルを商品に貼り付けた状態を示す斜視図
【図５】タンパープルーフカットの作用を示す説明図
【図６】元価格バーコードが目隠し部よりも極端に天地方向に長い場合の値引き方法を示す説明図である。
【図７】従来技術に係る値下げバーコードラベルの説明図
【符号の説明】
【００２３】
１１…値下げバーコードラベル、１２…台紙、１３…ラベル片、１４…粘着剤層、１５…位置検出用マーク、１６…バーコード修正部、１７…視認情報表示部、１８…目隠し部、１９…切り取り線、２０…パンチ抜型
【図１】
2008242337.tif 000003
【図２】
2008242337.tif 000004
【図３】
2008242337.tif 000005
【図４】
2008242337.tif 000006
【図５】
2008242337.tif 000007
【図６】
2008242337.tif 000008
【図７】
2008242337.tif 000009